(57)【要約】【課題】  原稿読取部を手にとって装置全体を持ち上げられないようにする画像形成装置を提供する。【解決手段】  シートに画像を形成するプリンター部２と、プリンター部２の上部で原稿を読み取るスキャナー部１と、プリンター部２とスキャナー部１との間にプリンター部２で画像形成されたシートを排出積載する積載空間部３と、を備え、スキャナー部１がプリンター部２に開閉自在に設けられた画像形成装置において、スキャナー部１とプリンター部２とをロックするロック手段を備え、ロック手段は、スキャナー部１を手にとって装置全体を持上げる動作に対して自動解除され、スキャナー部１をプリンター部２から開く。【選択図】  図１ 
2005301154.tif 000002
【特許請求の範囲】
【請求項１】
シートに画像を形成する画像形成部と、
前記画像形成部の上部で原稿を読み取る原稿読取部と、
前記画像形成部と前記原稿読取部との間に前記画像形成部で画像形成されたシートを排出積載する積載空間部と、
を備え、
前記原稿読取部が前記画像形成部に開閉自在に設けられた画像形成装置において、
前記原稿読取部と前記画像形成部とをロックするロック手段を備え、
前記ロック手段は、前記原稿読取部を手にとって装置全体を持上げる動作に対して自動解除され、前記原稿読取部を前記画像形成部から開くことを特徴とする画像形成装置。
【請求項２】
前記原稿読取部は、原稿の原稿読取手段を格納したベース部に開閉自在に設けられた原稿圧板を有し、
前記ロック手段は、前記原稿圧板の通常の開閉動作に付随する衝撃に対してロック状態を維持することを特徴とする請求項１記載の画像形成装置。
【請求項３】
前記ロック手段は、前記原稿読取部の一端部のみに設けられたことを特徴とする請求項１又は２記載の画像形成装置。
【請求項４】
前記ロック手段を解除した際に前記原稿読取部が前記画像形成部から開く動作を補助し前記原稿読取部を所定量だけ開かせるポップアップ機構を有し、
該ポップアップ機構は、前記ロック手段が設けられた一端部側を前記ロック手段の無い他端部側よりも前記原稿読取部を強く開かせることを特徴とする請求項３記載の画像形成装置。
【請求項５】
前記ロック手段は、バネで付勢された回動するロックレバーの引っ掛け部と、相手側の固定引っ掛かり部と、の係合により構成され、
前記ロックレバーの引っ掛け部と前記固定引っ掛かり部の少なくとも一方の係合面は、固定引っ掛かり部側から加えられる力によって、前記ロック手段の係合が解除されるような斜面に形成されたことを特徴とする請求項１〜４のいずれか１項記載の画像形成装置。
【請求項６】
前記バネの付勢力は、前記原稿読取部を手にとって装置全体を持上げる動作に対して前記画像形成部の自重により前記ロック手段の係合部で滑りが発生し、前記ロックレバーの引っ掛け部が前記固定引っ掛かり部から外れると共に、前記原稿圧板の通常の開閉動作に付随する衝撃に対して前記ロック手段の係合部で滑りが発生しないように、設定されることを特徴とする請求項５記載の画像形成装置。
【請求項７】
前記ロック手段は、マグネットを用いた構成であることを特徴とする請求項１〜４のいずれか１項記載の画像形成装置。
【請求項８】
前記画像形成部に装置運搬用の握手を設けたことを特徴とする請求項１〜７のいずれか１項記載の画像形成装置。
【発明の詳細な説明】
【技術分野】
【０００１】
本発明は、原稿を読み取る原稿読取部（スキャナー部）とシートに画像を形成する画像形成部（プリンター部）との間に、画像形成済みのシートを排出積載する所謂、機内排紙型の画像形成装置で、画像形成部に対して原稿読取部が開閉自在に設置される画像形成装置に関するものである。
【背景技術】
【０００２】
近年、ファクシミリ、複写機、或いはファクシミリ・複写機・プリンターとしての機能を併せ持つ複合機（ＭＦＰ）としての画像形成装置において、図５（ａ）に示すように設置面積の省スペース化を目的に画像形成後のシートＰを装置内の原稿読取部としてのスキャナー部１と、その下部に設けられた画像形成部としてのプリンター部２との間に形成される排紙積載空間部３に排出積載させる所謂、機内排紙のものが主流になりつつある。
【０００３】
このような画像形成装置において、プリンター部２の筐体の上面側がメンテナンスカバーとして開閉するために、或いは排紙積載されたシートを取り出し易くするために、図５（ｂ）に示すように、プリンター部２に対しスキャナー部１が開閉する構成が採用されている。
【０００４】
このような装置においてはスキャナー部１を開閉する力を軽くするためのダンパー機構が設けられ、且つプリンター部２とスキャナー部１のロック機構が設けられ、ロック解除を行わない限りスキャナー部１を手にとって装置全体を持上げてもスキャナー部１が開かないように構成されている。
【０００５】
図５（ｂ）に示すようにスキャナー部１は筐体底面に固定引っ掛かり部としてのフック３１，３２が装置前面から見て前方左右に夫々設けられ、図示しないダンパー機構を有する左右ヒンジ部１５，１６で軽い力で開閉可能に設けられている。
【０００６】
スキャナー部１を閉めると、プリンター部２の前方左右に設けられた凹部３３，３４にフック３１，３２が入り込み、図６の拡大図に示すようにプリンター部２側に設けたロックレバー２０の頭部斜面２０ｂを押してロックレバー２０を２転鎖線の位置まで押し退け、さらにそこから実線の位置に戻りスキャナー部１とプリンター部２がロックした状態となる。
【０００７】
ロックレバー２０は回転軸２１を中心に回転自在に設けられ、左右通し軸となっており左右に夫々同形状のロックレバー２０が同じ位相で回転するようになっている。また、ロックレバー２０はねじりコイルバネ２２により所定の力で付勢されている。
【０００８】
図６の拡大図に示すようにロックレバー２０の引っ掛かり部２０ｃには食い込み角度αの斜面になっており、スキャナー部１のフック３１からの抗力はＦ２の方向に作用し、Ｍ２＝Ｆ２×Ｆ２のモーメントがロックレバー２０の閉まる方向に作用するのでスキャナー部１を開こうとしてもロックが外れることは無いので、ロックを解除するためにはロックレバー２０の解除ボタン部２０ａを押す必要がある。
【発明の開示】
【発明が解決しようとする課題】
【０００９】
しかし、前述した従来例ではプリンター部２の重量に対しロック機構の強度が十分に耐えられるものでなければユーザーがスキャナー部１を手にとって装置全体を持上げた時、
搬送の途中でロック機構が破損し、装置を落下させることが考えられる。
【００１０】
また、前述した食い込み角度αが十分大きく確保されていなければロックレバー２０が外れ、装置を落下させることが考えられる。
【００１１】
本発明は上記の従来技術の課題を解決するためになされたもので、その目的とするところは、原稿読取部を手にとって装置全体を持上げられないようにする画像形成装置を提供することにある。
【課題を解決するための手段】
【００１２】
本発明は前述した問題点を解決するために、原稿読取部を手にとって装置全体を持上げようとした時にはロック手段が自動解除され原稿読取部が開く構成とし、原稿読取部を手にとって装置全体を持上げられないようにするものである。
【００１３】
また、原稿圧板を有する原稿読取部に対しては、原稿圧板を跳ね上げて開き、原稿圧板が所定の開き位置でストップする際の衝撃等の通常の開閉動作に付随する衝撃により原稿読取部と画像形成部のロックが外れることが無いようにロック手段を設定する。
【発明の効果】
【００１４】
本発明によれば、原稿読取部を手にもって装置全体を持上げることができないので、原稿読取部を手にもって装置全体を持上げての運搬中のロック手段の破損或いは外れに起因する装置落下を回避できる。
【００１５】
つまり、画像形成部側を手にもって装置全体を持上げることになり、装置を落下させることがなく、装置の運搬が確実に行える。
【発明を実施するための最良の形態】
【００１６】
以下に図面を参照して、この発明の最良な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００１７】
（第１の実施の形態）
図１〜図３を参照して、第１の実施の形態について説明する。図１は第１の実施の形態に係る画像形成装置の主縦断面図とロック部の拡大図である。図２は第１の実施の形態に係る画像形成装置を正面からみた斜視図である。図３は第１の実施の形態に係る画像形成装置の原稿圧板を開いた状態の主縦断面図である。
【００１８】
第１の実施の形態に係る画像形成装置は、図２（ａ）に示すように、画像形成後のシートＰを装置内の原稿読取部としてのスキャナー部１と、その下部に設けられた画像形成部としてのプリンター部２との間に形成される排紙積載空間部３に排出積載させる所謂、機内排紙の装置である。
【００１９】
スキャナー部１は、フラットベット式のスキャナー部であり、原稿読取面を上面に有し原稿読取手段が格納されたベース部に対して開閉自在に原稿圧板４を設けたものである。原稿圧板４には原稿給送装置５や原稿積載部６が設けられている。
【００２０】
プリンター部２は、電子写真方式のプリンターである。プリンター部２では、画像情報に応じてレーザが現像カートリッジ７の感光体ドラム１２に照射され、感光体ドラム１２に静電潜像が形成され、該静電潜像を現像カートリッジ７内のトナーで現像しトナー像が
形成される。そして、この感光体ドラム１２上の現像されたトナー像は給紙カセット９からピックアップローラ１１によってピックアップされたシートＰに感光体ドラム１２と転写ローラ１０とのニップ部にて転写され、トナー像が転写されたシートＰは定着器８へ搬送される。次にシートＰは定着器８でトナーが溶融されてトナー像を永久画像として定着し、排紙積載空間部３へ排出される。
【００２１】
このような画像形成装置において、プリンター部２の筐体の上面側がメンテナンスカバーとして開閉するために、或いは排紙積載されたシートを取り出し易くするために、図２（ｂ）に示すように、プリンター部２に対しスキャナー部１が開閉する構成が採用されている。
【００２２】
図２（ｂ）に示すようにスキャナー部１は筐体底面に固定引っ掛かり部としてのフック３１，３２が装置前面から見て前方左右に夫々設けられ、図示しないカムと圧縮バネを利用したダンパー機構を有する左右ヒンジ部１５，１６でスキャナー部１の重量を保持し軽い力で開閉可能に設けられている。
【００２３】
スキャナー部１を閉めるとプリンター部２の前方左右に設けられた凹部３３，３４にフック３１，３２が入り込み、図１の拡大図に示すようにプリンター部２側に設けたロックレバー４０の頭部斜面４０ｂを押してロックレバー４０を２点鎖線の位置まで押し退け、さらにそこから実線の位置に戻りスキャナー部１とプリンター部２がロックした状態となる。
【００２４】
ロックレバー４０は回転軸２１を中心に回転自在に設けられ、左右通し軸となっており左右に夫々同形状のロックレバー４０が同じ位相で回転するようになっている。また、ロックレバー４０はねじりコイルバネ４２により所定の力で付勢されている。４０ａは解除ボタン部、４５はロックレバーストッパーである。
【００２５】
図１の拡大図に示すようにロックレバー４０の引っ掛かり部４０ｃの係合面は、ロックレバー４０の解除される方向に斜めとなった逃げ角度βの斜面になっており、スキャナー部１のフック３１から伝達される力はＦ１の方向に作用し、Ｍ１＝Ｆ１×Ｆ１のモーメントがロックレバー４０の解除される方向に作用する。
【００２６】
したがって、モーメントＭ１がロックレバー４０を付勢するねじりコイルバネ４２のモーメントより大きくなった時にロックレバー４０は通し軸２１を中心にロック解除の方向に回転を始めロックが解除されてスキャナー部１が開くこととなる。
【００２７】
図３に示すように原稿圧板４を所定位置まで跳ね上げた時の左右ロック部に掛かる衝撃がＦ１に換算して４９〜５８．８Ｎとした場合、プリンター部２の重量が１４７Ｎであれば、左右ロック部に掛かる荷重が９８Ｎ程度でロックレバー４０が解除される方向に回転し始めるようにねじりコイルバネ４２の付勢力を設定する。
【００２８】
これによりスキャナー部１を手にとって装置全体を持上げようとするとロックが自動解除されスキャナー部１が開く構成となり、スキャナー部１を手にとって運搬することはできない。
【００２９】
したがって、ユーザーは図２に示したプリンター部２の左右下部に設けた握手２９を手にとって装置全体を運搬することになり、安全確実な運搬作業をすることができる。
【００３０】
（第２の実施の形態）
図４を参照して、第２の実施の形態について説明する。図４は第２の実施の形態に係る
画像形成装置を正面からみたスキャナー部を開いた時の斜視図である。
【００３１】
図４においてロックレバー４０は右側一端部のみに設けられ、プリンター部２の凹部３３も右側一端部のみに設けられている。スキャナー部１を開閉するヒンジ部１５，１６にはカムと圧縮バネを利用したダンパー機構が設けられ、スキャナー部１の開閉をアシストしている。
【００３２】
プリンター部２のロックレバー４０の設けられた右側にはポップアップバネとして圧縮バネ５１が設けられ、スキャナー部１の右側底面には圧縮バネ５１を受ける座面５０が設けられている。
【００３３】
これにより、解除ボタン部４０ａを押すとスキャナー部１は確実に所定の量まで開き、ロックが解除されることが判別できる。その後図４の状態まで手で開く。
【００３４】
また、ロックレバー４０はプリンター部２の右側のみに設けられているのでスキャナー部１の筐体の歪みにより、スキャナー部１の左側がプリンター部２から浮く状態が発生する。そこで、図４に示すように、プリンター部２の右側にのみ圧縮バネ５１を設け、スキャナー部１が閉まった状態でロックされている時、スキャナー部１の筐体を右側底面から押し上げて、プリンター部２の左側に押し付ける力が作用し、前述した浮きを抑える効果もあるので、スキャナー部１とプリンター部２の隙間を均一に保つことができる。
【００３５】
なお、上記実施の形態では、ロックレバーをロック手段の例に挙げて説明したが、ロック手段としてロックレバーの他にマグネットを用い、磁力によるロック機構を構成してもよい。マグネットでロック機構を構成する場合には、スキャナー部１とプリンター部２とに設けられた２つのマグネットが吸着するための磁力に、原稿圧板４を所定位置まで跳ね上げた時の左右ロック部に掛かる衝撃では離れようとせず、プリンター部２の重量がかかると離れてしまうような関係を持たせると良い。
【図面の簡単な説明】
【００３６】
【図１】第１の実施の形態に係る画像形成装置の主縦断面図及びロック部の拡大図である。
【図２】第１の実施の形態に係る画像形成装置の正面からみた斜視図であり、図２（ａ）はスキャナー部を閉めた時の状態であり、図２（ｂ）はスキャナー部を開いた時の状態である。
【図３】第１の実施の形態に係る画像形成装置の原稿圧板を開いた状態の主縦断面図である。
【図４】第２の実施の形態に係る画像形成装置の正面からみたスキャナー部を開いた時の斜視図である。
【図５】従来の画像形成装置の正面からみた斜視図であり、図５（ａ）はスキャナー部を閉めた時の状態であり、図５（ｂ）はスキャナー部を開いた時の状態である。
【図６】従来の画像形成装置の主縦断面図及びロック部の拡大図である。
【符号の説明】
【００３７】
１  スキャナー部
２  プリンター部
３  排紙積載空間部
４  原稿圧板
５  原稿給送装置
６  原稿積載部
７  現像カートリッジ
８  定着器
９  給紙カセット
１０  転写ローラ
１１  ピックアップローラ
１２  感光体ドラム
１５，１６  ヒンジ部
２９  握手
３１，３２  フック
３３，３４  凹部
４０  ロックレバー
４０ａ  解除ボタン部
４０ｂ  頭部斜面
４０ｃ  引っ掛かり部
４２  コイルバネ
５０  座面
５１  圧縮バネ
【図１】
2005301154.tif 000003
【図２】
2005301154.tif 000004
【図３】
2005301154.tif 000005
【図４】
2005301154.tif 000006
【図５】
2005301154.tif 000007
【図６】
2005301154.tif 000008